(57)【要約】【課題】  ユーザによるシステム利用料負担を軽減するとともに、スポンサによる個人情報の入手を容易にする。【解決手段】  携帯電話１から縁者の個人情報および記念日をサーバ６に送信する。サーバ６は携帯電話１からの検索要求に従い、所望の縁者の記念日等を携帯電話１に送信することにより、ユーザに記念日等を事前に告知することができる。サーバ６はシステム使用料スポンサに課金するとともに、スポンサに対して個人情報へのアクセスを許可する。【選択図】  図１
2005228244.tif 000002
【特許請求の範囲】
【請求項１】
通信回線に接続可能であるとともに、本人の個人情報、および当該本人と関連を有する第三者の個人情報の入力および表示が可能な移動通信無線端末と、
前記通信回線を介して受信した前記個人情報を記憶するとともに、前記移動通信無線端末の指示に従い当該個人情報のうちの所望の情報を検索し、当該情報を移動通信無線端末に送信するサーバと、
前記サーバから前記個人情報のアクセスを許可された場合には、前記サーバの使用によって生じた課金を負担するスポンサ用端末とを備えた個人情報管理システム。
【請求項２】
前記サーバは、前記個人情報に基づき記念日を算出し、当該記念日を前記移動通信無線端末に告知することを特徴とする請求項１に記載の個人情報管理システム。
【請求項３】
前記サーバは、前記記念日の情報を前記スポンサ用端末に送信することを特徴とする請求項２に記載の個人情報管理システム。
【請求項４】
前記サーバは、前記移動通信無線端末からの識別情報を認証した後に、前記移動通信無線端末に対して前記個人情報のアクセスを許可することを特徴とする請求項１に記載の個人情報管理システム。
【請求項５】
前記サーバに登録された前記個人情報の中の緊急連絡先に対して送信を行う場合には、前記サーバは識別情報の認証をすることなく、当該緊急連絡先との送受信を可能ならしめることを特徴とする請求項４に記載の個人情報管理システム。
【請求項６】
通信回線に接続可能な移動通信無線端末を用いて、本人の個人情報、および当該本人と関連を有する第三者の個人情報の入力および表示を行うステップと、
サーバにおいて、前記通信回線を介して受信した前記個人情報を記憶するとともに、前記移動通信無線端末の指示に従い当該個人情報のうちの所望の情報を検索し、当該情報を移動通信無線端末に送信するステップと、
前記サーバが前記個人情報のアクセスをスポンサ用端末に許可した場合には、前記サーバの使用によって生じた課金をスポンサ用端末に負担させるステップとを備えた個人情報管理方法。
【請求項７】
前記サーバは、前記個人情報に基づき記念日を算出し、当該記念日を前記移動通信無線端末に告知することを特徴とする請求項６に記載の個人情報管理方法。
【請求項８】
前記サーバは、前記記念日の情報を前記スポンサ用端末に送信することを特徴とする請求項７に記載の個人情報管理方法。
【請求項９】
前記サーバは、前記移動通信無線端末からの識別情報を認証した後に、前記移動通信無線端末に対して前記個人情報のアクセスを許可することを特徴とする請求項６に記載の個人情報管理方法。
【請求項１０】
前記サーバに登録された前記個人情報の中の緊急連絡先に対して送信を行う場合には、前記サーバは識別情報の認証をすることなく、当該緊急連絡先との送受信を可能ならしめることを特徴とする請求項９に記載の個人情報管理方法。
【請求項１１】
通信回線に接続可能な移動通信無線端末を用いて、本人の個人情報、および当該本人と関連を有する第三者の個人情報の入力および表示を行うステップと、
サーバにおいて、前記通信回線を介して受信した前記個人情報を記憶するとともに、前記移動通信無線端末の指示に従い当該個人情報のうちの所望の情報を検索し、当該情報を移動通信無線端末に送信するステップと、
前記サーバが前記個人情報のアクセスをスポンサ用端末に許可した場合には、前記サーバの使用によって生じた課金をスポンサ用端末に負担させるステップとを備えた個人情報管理プログラム。
【発明の詳細な説明】
【技術分野】
【０００１】
本発明は、携帯端末を用いて、生年月日等の個人情報を管理するための個人情報管理システム、方法およびプログラムに関する。
【背景技術】
【０００２】
近年の携帯電話、ＰＤＡ（Personal Digital Assistance）等の携帯端末の普及により、音声通信のみならず、電子メール、インターネットへのアクセスも携帯端末を通じて行うことができるようになってきた。個人情報の管理についても携帯端末を用いて行うことが可能となりつつある。
【０００３】
例えば、特開２００１−３５７１２５号公報には、パーソナルコンピュータおよび携帯電話により共通のデータベースを管理および閲覧することにより、個人情報の利便性を向上させるシステムが記載されている。しかしながら、このシステムは、個人情報に基づき、記念日等を自動的に告知する構成を開示するものではなく、ユーザは自分自身で記念日等をシステムに入力および管理しなければならない。また、サーバの使用料およびコンテンツの使用料はユーザに直接に課金されるため、ユーザの経済的負担が大きくなり、その結果、システムの普及を促進することができないという問題がある。
【０００４】
また、特開２００２−２７１５０８号公報には、携帯電話内に記憶している個人情報をデータセンタ内のデータベースにより管理するシステムが開示されている。このシステムによれば、データセンタのデータベースによってデータの保存、編集、管理を行い、これらのデータを携帯電話に送信することにより、ユーザは携帯電話を通じて個人情報を閲覧することが可能となっている。ところが、このシステムは、個人情報に基づき記念日等を自動的にユーザに告知するものではない。また、システムの資料量はユーザの負担となるため、システムの普及が困難となるという問題がある。
【０００５】
さらに、特開２００２−３３５３３３号公報には、携帯電話から音声入力により個人情報を入力する装置が開示されている。この装置は音声信号をテキストデータに変換し、テキストデータにユーザＩＤを関連付けて記憶することにより、個人情報の入力を容易にするというものである。しかしながら、この装置は、個人情報の記念日を自動的に告知する機能を備えたものでもなく、また、システム使用料をユーザに直接に課金してしまうものである。
【０００６】
【特許文献１】特開２００１−３５７１２５号公報
【特許文献２】特開２００２−２７１５０８号公報
【特許文献３】特開２００２−３３５３３３号公報
【発明の開示】
【発明が解決しようとする課題】
【０００７】
本発明は上述の問題に鑑みてなされたものであり、本発明の解決しようとする課題は、システム使用料をスポンサに負担させることによりユーザの経済的負担を軽減するとともに、スポンサに個人情報のアクセスを許可する個人情報管理システムを提供することにある。さらに、本発明の他の課題は、個人情報に基づき特定の記念日等を自動的に告知することにある。
【課題を解決するための手段】
【０００８】
上述の課題を解決するために、本発明は、通信回線に接続可能であるとともに、本人の個人情報、および当該本人と関連を有する第三者の個人情報の入力および表示が可能な移動通信無線端末と、前記通信回線を介して受信した前記個人情報を記憶するとともに、前記移動通信無線端末の指示に従い当該個人情報のうちの所望の情報を検索し、当該情報を移動通信無線端末に送信するサーバと、前記サーバから前記個人情報のアクセスを許可された場合には、前記サーバの使用によって生じた課金を負担するスポンサ用端末とを備える。
また、前記サーバは、前記個人情報に基づき記念日を算出し、当該記念日を前記移動通信無線端末に告知する。前記サーバは、前記記念日の情報を前記スポンサ用端末に送信する。
さらに、前記サーバは、前記移動通信無線端末からの識別情報を認証した後に、前記移動通信無線端末に対して前記個人情報のアクセスを許可する。前記サーバに登録された前記個人情報の中の緊急連絡先に対して送信を行う場合には、前記サーバは識別情報の認証をすることなく、当該緊急連絡先との送受信を可能ならしめる。
【発明を実施するための最良の形態】
【０００９】
以下に、図面を参照しながら本発明の最良の実施の形態を説明する。
図１は本発明に係る個人情報管理システムの概略構成図である。この図に示されたように、個人情報管理システムは、携帯電話１，基地局２ａ〜２ｂ、基地局制御装置３、インターワーキングユニット４、インターネット５，サーバ６，ユーザ用パーソナルコンピュータ７ａ、スポンサ用パーソナルコンピュータ７、カーナビゲーションシステム８，ＰＤＡ９等により構成されている、携帯電話１は通常の音声会話機能の他にインターネット接続機能を備えたものであり、ユーザによって携帯される。基地局２ａ、２ｂ、２ｃ等は多角形に区画された複数の無線サービスエリア内に各々接地されており、携帯電話１との無線通信を行うためのものである。携帯電話１が移動した場合には、いわゆるハンドオーバーがなされ、基地局２ａ、２ｂ、２ｃ等のうちで携帯電話１が最も強い電波を受ける基地局との無線通信が行われる。基地局２ａ、２ｂ、２ｃ等は基地局制御装置３に接続されており、基地局制御装置３は基地局２ａ、２ｂ、２ｃ等のハンドオーバー処理を制御するためのものである。
【００１０】
インターワーキングユニット４は、基地局制御装置３とインターネット５との間にせつぞくされており、携帯電話１、基地局２ａ、２ｂ、２ｃ等の無線通信システムの通信プロトコルとインターネット５の通信プロトコル間で、各レイヤーの情報要素をマッピングすることにより、無線通信素ステムとインターネット５との間の通信を可能にする。サーバ５は、携帯電話１から送信された個人情報をインターネットを介して受信し、保存するととともに、個人情報の検索等の各種サービスを携帯電話１に対して提供するものである。ユーザ用パーソナルコンピュータ７は、インターネットを介してサーバ６にアクセスし、個人情報の検索および管理を行うために使用される。
【００１１】
カーナビゲーションシステム８は通信機能を有しており、基地局２ａ〜２ｃを介してサーバ６へのアクセスが可能である。また、カーナビゲーションシステム８は音声合成機能を有しており、個人情報の読み上げを行うことも可能である。ＰＤＡ９も通信機能を備えており、携帯電話１と同様に個人情報の入力および検索を実行可能である。
【００１２】
図２は、携帯電話１のブロック図である。上述したように、携帯電話１はインターネット節夫区機能を備えているものである。インターネット接続機能のために、ＭＰＵ１１８、フラッシュメモリ１１９，ＳＲＡＭ１２０、ＬＣＤディスプレイ１２１等が携帯電話１に設けられている。ＬＤディスプレイ１２１には、後述するように個人情報のためのログイン画面、入力画面、編集画面、検索画面等が表示される構成となっている。また、携帯電話１には、アンテナ１０１、デュプレクサ１０２、ローノイズアンプ１９３、ＳＡWフィルタ１０４、ＭＩＸ回路１０５、変復調回路１０６、ＴＤＭＡ制御回路１０７、音声コーデック回路１０８、音声インターフェース回路１０９、パワーアンプ回路１１２、ＳＡＷフィルタ１１３、ＭＩＸ回路１１４、ＳＡＷフィルタ１１５、周波数シンセサイザ１１６、直交変調器１１７等が設けられている。
【００１３】
図３は、サーバ６の構成を説明するためのブロック図である。サーバ６は、制御部６０、課金処理部６１、記憶部６２、暗号処理部６３、復号処理部６４、入出力部６５を備えて構成されている。制御部６０は記憶部６１に記憶された個人情報の管理を行うためのものであり、個人情報に基づき記念日等を自動的に算出する機能を備えている。暗号処理部６３は個人情報を暗号化した後にインターネットに送信するためのものであり、復号処理部６４は暗号化された個人情報を復号化するためのものである。これらの暗号処理部６３、復号処理部６４を用いることにより、インターネット上において個人情報が漏洩されるのを未然に防止することができる。入出力処理部６５は、インターネット６５を介した送受信を行うためのプロトコル制御等を行うためのものである。課金処理部６１はサーバ６の使用料を算出し、スポンサに対する課金処理を実行するためのものである。スポンサはサーバ６の利用料を支払う代わりに、ユーザの個人情報へのアクセスが可能となる。
【００１４】
続いて、図４〜１３を参照しながら、本実施形態に係る表示画面の一例を説明する。図３は、ログイン時の画面を表している。図４は初期画面４０１、ログイン画面４０２、サービスメニュー画面４０３とを表している。初期画面４０１は、携帯電話１がサーバ６に接続された際に携帯電話１に表示される画面である。この初期画面４０１は、スポンサによって構築可能なものであり、個人情報管理サービスのためのリンク表示「Ｍｙメモリ」、スポンサによる案内として各種お知らせ等を含んでいる。下線部が付されたリンク表示にカーソルを移動し、クリックすることにより、他の画面へ自動的にジャンプすることが可能である。例えば、「Ｍｙメモリ」のリンク表示をクリックすると、ログイン画面４０２が表示される。ログイン画面４０２にはユーザＩＤの入力欄、パスワード入力欄が含まれている。登録済みのユーザＩＤおよびパスワードが正しく入力した後にログイン表示をクリックすると、サービスメニュー画面４０３が表示される構成となっている。
【００１５】
サービスメニュー画面４０３の上部には、前回のログイン日時の表示、直近の予定が表示される。前回のログイン日時を表示することにより、ユーザは第三者による不正なログインがなされていないか否かを確認することが可能となる。直近の予定表示は直近のスケジュールの１件のタイトルのみを表しており、ユーザはこのタイトルを見ることにより直近の記念日等を知ることができる。さらにサービスメニュー画面４０３の下部には「カレンダー」、「予定登録」、「縁者検索」、「縁者登録」、「自己プロフィール」、「緊急連絡先」のリンク表示が含まれている。
【００１６】
メニュー画面４０３の「カレンダー」のリンク表示をクリックすると、図５に示されたカレンダー週表示画面５０１が表示される。このカレンダー週表示画面５０１は現在の週の予定、記念日等を表示するためのものである。カレンダー週表示画面５０１上部の「先週」、「翌週」のリンク表示を順にクリックすることにより所望の週の予定等が表示される構成となっている。
【００１７】
カレンダー週表示画面５０１の「月表示」のリンクをクリックすると、カレンダー月表示画面５０２が表示される。カレンダー月表示画面５０２の中の所望の日をクリックすると、その日の詳細な予定等が表示される。カレンダー週表示画面５０１において、所望の予定のリンク、例えば「山田太郎さんの誕生日」をクリックすると、「山田太郎」の個人情報が縁者情報表示画面５０４に表示される構成となっている。
【００１８】
カレンダー週表示画面５０１の「日付検索」のリンクをクリックすると、日付検索画面５０３が表示される。ユーザは日付検索画面５０３において所望の年月日を入力することにより、当該年月日の予定等が表示される。検索結果は、図６に示されたカレンダー日表示画面５０５として表示される。カレンダー日表示画面５０５は指定された日の詳細な予定等を表示可能であり、さらにこの画面に表示された予定のリンクをクリックすると、当該予定の詳細な情報を表示可能である。例えば、カレンダー日表示画面５０５において「生八橋大食い大会」のリンクをクリックすると、当該予定の詳細な予定情報画面５０６が表示される。予定情報画面５０６には予定の名称、メモ、関係縁者、アラートの設定を表示可能である。アラートの設定を「一日前」にした場合には、当該予定日の一日前にユーザに予定を告知することができる。なお、アラートの項目リストをメールでパーソナルコンピュータに送信したり、ファクシミリに出力することにより、アラートリストの確認を容易に行うことが可能となる。
【００１９】
予定情報画面５０６において「編集」のコマンドをクリックすると、予定詳細情報画面５０７が表示される。予定詳細情報画面５０７は、予定の詳細を編集および確認するための画面である。予定詳細情報画面５０７においては、「予定の名称」、「日時」、「繰り返し」、「メモ」、「アラート」、「アクション」、「関係縁者変更」、「新規予定登録」等を編集可能である。「繰り返し」の項目としては、「なし」、「毎年」、「毎月」、「毎週」が用意されている。例えば、「毎年」を選択した場合には、当該予定が毎年度の予定として登録される。「アクション」の項目は、登録された予定日においてどのような行動をするべきかを表している。「アクション」の選択肢としては、「なし」、「メール」、「手紙」、「電話」、「プレゼント」、「訪問」が容用意されている。予定詳細情報賀宴５０７において、関係縁者変更の項目がクリックされると、図７の縁者検索画面７０１が表示される。
【００２０】
図７は、縁者検索画面７０１，検索結果表示画面７０２を表している。縁者検索画面７０１は、サービスメニュー画面４０３の「縁者検索」をクリックすることによっても、表示される。縁者検索画面７０１は登録済みの縁者の中から指定された条件に合致する者を検索するためのものであり、「関係」、「名前」の検索条件を指定可能である。例えば、「関係」の項目として「友人」を指定し、「名前」の項目として「やまだ」と指定することにより、「やまだ」という名の友人を瞬時に検索することができる。
【００２１】
検索結果表示画面７０２は、指定された検索条件に合致するデータを表示するためのものであり、検索結果はリンク表示の付された項目として表示さえる。なお、複数件（例えば５件以上）の検索結果が存在する場合には、「←前」、「→後」の表示をクリックすることにより、順に検索結果が画面に表示される。検索結果表示画面７０２において、検索された縁者の表示をクリックすると、図８の縁者情報表示７０３が表示される構成となっている。
【００２２】
縁者情報表示画面７０３は、登録された縁者の詳細を表示するとともに、「縁者一覧」、「住所追加」、「電子メール追加」、「その他の記念日追加」のコマンドを含んでいる。「住所追加」のコマンドをクリックすると、住所追加画面７０４が表示される。
【００２３】
住所追加画面７０４は、縁者の住所を入力するためのものであり、郵便番号の入力項目を含んでいる。この住所追加画面７０４において郵便番号の入力が完了した後に、「次へ」の項目をクリックすると、次の住所追加画面７０５が表示される。この住所追加画面７０５において住所を入力した後に、「登録」コマンドをクリックすることにより、新たな住所の登録が完了する。さらに、住所の登録が完了すると、縁者情報表示画面７０６が表示され、ユーザに登録内容を表示させることができる。縁者情報表示画面７０６には、縁者の氏名、性別、生年月日、血液型、電話番号、電子メールアドレス、メモ等の詳細な情報が含まれている。
【００２４】
図９は新たな縁者登録のための画面を表している。サービスメニュー画面４０３において、「縁者登録」のコマンドをクリックすると、区分選択画面９０１が表示される。区分選画面９０１は、縁者の区分、例えば、家族、友人、恩師、会社関係等を登録するためのものであり、登録しようとする縁者の所定の区分をクリックすることにより区分が選択される。この区分選択画面９０１において区分の選択が完了すると、縁者作成画面９０２が表示される構成となっている。
【００２５】
縁者作成画面９０２は新たに登録しようとする縁者の詳細情報を入力するためのものである。すなわち、この画面において、姓名、ふりがな、性別、血液型、生年月日、電話番号、メモ、緊急連絡先、親密度等の情報を入力可能である。この縁者作成画面９０２において詳細情報の入力を行った後に、「登録」コマンドをクリックすることにより、新たな縁者の登録が完了し、縁者情報表示画面９０３が表示される。縁者情報表示画面９０３には、新たに登録された縁者の個人情報が表示されるとともに、「住所追加」、「電子メール追加」、「縁者追加」、「通知選択」の各コマンドが表示される。「通知選択」のコマンドをクリックすると、通知選択画面９０３が表示される構成となっている。通知選択画面９０３は、登録された縁者の記念日の中から、通知すべき予定日を選択するためのものである。記念日としては、誕生日から起算される記念日、季節の祭事等が表示される。例えば、「還暦」のチェックボックスをクリックすると、当該縁者の還暦を事前に通知することが可能となる。なお、縁者が既に死亡していた場合であっても、生存していたと仮定した場合の記念日を登録することも可能である。
【００２６】
図１０は自己プロフィールの編集に関数画面を表している。サービスメニュー画面４０３の「自己プロフィール」のコマンドをクリックすると、自己プロフィール表示画面１００１が表示され、ユーザは登録された自己のプロフィールを確認することが可能である。自己プロフィール表示画面１００１には、氏名、ふりがな、性別、生年月日、電話番号等の情報が含まれている。自己プロフィール表示画面１００１において「編集」コマンドをクリックすると、自己プロフィール編集画面１００２が表示される。自己プロフィール編集画面１００２において編集可能な項目は下線が付されたリンク表示がなされており、ユーザはこれらの項目の中から編集項目を選択し、編集を行うことができる。自己プロフィール表示画面１００１および自己プロフィール編集画面１００３において、「血縁者一覧」のコマンドをクリックすると、登録済みの縁者の一覧が縁者一覧表１００３として表示される構成となっている。なお、縁者一覧表示においては、生年月日の順に従って表示される。さらに、縁者を登録する場合には、「縁者を追加する」のコマンドをクリックすることにより、図１１に示された関係選択画面１００４が表示される構成となっている。
【００２７】
関係選択画面１００４は、追加すべき縁者の関係を指定するためのものであり、「祖父」、「祖母」、「義祖父」、「義祖母」、「父」、「母」、「子」、「孫」の中から指定可能である。例えば、「子」をクリックすると、同姓の縁者についての縁者一覧画面１００５が表示される。この縁者一覧画面１００５は、同姓の縁者、縁者検索コマンド、縁者登録コマンド等の表示を含んでいる。
【００２８】
図１２に、緊急連絡先画面、縁者情報表示画面等を表す。サービスメニュー画面４０３の下欄にある「緊急連絡先」の表示をクリックすると、緊急連絡先１２０１画面が表示される構成となっている。緊急連絡先画面１２０１には、家族、友人、会社関係等の各々について緊急時の連絡者の一覧が表示されている。緊急時においてはユーザ本人による携帯電話の操作が困難である場合が多いので、パスワードの入力無しに緊急連絡先に連絡することが可能となっている。このように、緊急時における連絡先を登録することにより、迅速な連絡を行うことが可能となる。また、登録された緊急連絡先に同報通信を行って良く、これにより、さらに迅速な連絡が可能となる。なお、緊急連絡先をメール、ファクシミリにより閲覧することが可能である。
【００２９】
同図において、縁者検索画面７０１、検索結果表示画面７０２、縁者情報表示画面７０３は上述したものと同様に構成されている。縁者情報表示画面７０３において、「その他の記念日追加」の表示をクリックすることにより、縁者情報画面７０７が表示が表示されゆ。この縁者情報画面７０７は、記念日の追加を行うための画面である。記念日として、例えば「結婚記念日」、「逝去日」等が選択肢として用意されており、ユーザはこの中から所望の記念日を選択可能である。
【００３０】
図１３は、縁者情報編集画面等を表している。この図において、縁者情報編集画面１３０１は、縁者の個人除法の編集および表示を行うためのものであり、一例として「山田太郎」の個人情報の詳細を表している。例えば、縁者情報編集画面１３０１の下部にある「山田太郎さんの血縁者一覧」の表示をクリックすると、登録済みの縁者の一覧が表示される。さらに、血縁者を追加する場合には、縁者一覧画面１３０２の下部にある「血縁者を追加する」の表示をクリックすることにより、縁者一覧画面１３０３を表示可能である。さらに、縁者一覧画面１３０３において、「母」の表示をクリックすることにより、「山田太郎」の母の縁者一覧画面１３０４が表示される構成となっている。
【００３１】
続いて、図１４を参照しながら本実施形態に係る個人情報管理システムの動作を説明する。先ず、スポンサはプロバイダとの間でユーザによる課金負担および個人情報の提供に関する契約を締結しておく。スポンサはスポンサ用パーソナルコンピュータ７ｂからプロバイダのサーバ６に向けて宣伝メッセージを送信する（ステップＳ１０１）。この宣伝メッセージは。携帯電話１の初期画面４０１に表示される。
【００３２】
ユーザが初期画面４０１からログイン画面４０２を表示させ、ユーザＩＤおよびパスワードを入力する。携帯電話１はユーザＩＤおよびパスワードをサーバ６に送信し、認証が正しければ携帯電話１がサーバ６にログインする（ステップＳ１０２）。ログインが完了すると、携帯電話１はサービスメニュー画面４０３を表示し、ユーザはサービスメニュー画面４０３上の所望のサービスを選択する。これにより、携帯電話１は選択されたサービスの要求をサーバ６に送信し、サーバ６からの応答を待つ（ステップＳ１０３）。
【００３３】
サーバ６は、サービス要求を受信すると、サービスの提供が可能であれば応答信号を携帯電話１に送信する（ステップＳ１０４）。さらに、サーバ６は要求されたサービスを携帯電話１に向けて提供し始める（ステップＳ１０５）。これにより、ユーザは縁者の登録、編集、検索等の各種サービスの提供を受けることが可能となる。当該サービスの内容に従い、サーバ６は料金を算出し、算出結果をサーバ６の記憶訴追に保存しておく。このようにして、縁者の登録、編集、検索等の処理が終了すると、ユーザは携帯電話１をサーバ６からログアウトする（ステップＳ１０７）。サーバは当該ログインにおける料金を集計し、集計された料金がスポンサに課金される（ステップＳ１０８）。
【００３４】
一方、スポンサがユーザの個人にアクセスする場合には、スポンサ用パーソナルコンピュータ７ｂからサーバ６にログインする（ステップＳ１０９）。
サーバ６がスポンサの認証お行った後、スポンサ用パーソナルコンピュータ７ｂからサーバ６に対して個人情報のアクセス要求を送信する（ステップＳ１１０）。ユーザが予め個人情報へのアクセスを容認している場合には、サーバ６は当該ユーザのみの個人情報をスポンサ用パーソナルコンピュータ７ｂに送信する（ステップＳ１１１）。ユーザが個人情報へのアクセスを容認していない場合には、個人情報がスポンサに開示されることはないため、個人情報の予期せぬ漏洩を未然に防止することができる。以上により、スポンサが所望の個人情報へのアクセスを完了すると、サーバ６からログアウトする（ステップＳ１１２）。スポンサは、入手した個人情報に基づき、誕生日、結婚記念日等に合わせて、プレゼント等の宣伝メッセージを送信することができ、効率的な営業宣伝活動を行うことが可能となる。
【００３５】
以上述べたように、本実施形態に係る個人情報管理システムによれば、サービスに対するシステム使用料の課金がユーザではなくスポンサに対してなされるために、個人情報サービスの普及を促進することができる。また、スポンサは個人情報へのアクセスが可能となり、宣伝活動を容易に行うことが可能となる。
【００３６】
本発明は上述の実施形態に限定されることなく、本発明の首位を逸脱しない範囲で変更実施可能である。例えば、携帯電話の代わりに、PDA等の携帯端末を用いてもよく、ユーザ用パーソナルコンピュータ７ａを用いて個人情報にアクセスしてもよい。さらに、登録された個人情報をファクシミリに送信してもよい。
【００３７】
また、パーソナルコンピュータ７ａ、携帯電話１を使用できない高齢者のために、電話、ファクシミリを用いてサービスを提供し、通話料をスポンサーに負担させてもよい。この場合には、上述した携帯電話１の表示画面をファクシミリとして出力することになる。
【図面の簡単な説明】
【００３８】
【図１】本発明に係る個人情報システムの全体図である。
【図２】本発明に係る携帯電話のブロック図である。
【図３】本発明に係る個人情報管理システムのブロック図である。
【図４】本発明に係る個人情報管理システムのログイン画面の一例である。
【図５】本発明に係る予定登録の表示画面の一例である。
【図６】本発明に係る予定情報の表示画面の一例である。
【図７】本発明に係る縁者検索のための表示画面の一例である。
【図８】本発明に係る縁者情報の表示画面の一例である。
【図９】本発明に係る縁者登録の表示画面の一例である。
【図１０】本発明に係る自己プロフィールの表示画面の一例である。
【図１１】本発明に係る縁者関係の表示画面の一例である。
【図１２】本発明に係る記念日登録のための表示画面の一例である。
【図１３】本発明に係る縁者情報編集のための表示画面の一例である。
【図１４】本発明に係る個人情報管理システムの動作を表すタイミングチャートである。
【符号の説明】
【００３９】
１  携帯電話
６  サーバ
７ｂ  スポンサ用パーソナルコンピュータ
６０  制御部
６１  課金処理部
６２  記憶部
６３  暗号処理部
６４  復号処理部
【図１】
2005228244.tif 000003
【図２】
2005228244.tif 000004
【図３】
2005228244.tif 000005
【図４】
2005228244.tif 000006
【図５】
2005228244.tif 000007
【図６】
2005228244.tif 000008
【図７】
2005228244.tif 000009
【図８】
2005228244.tif 000010
【図９】
2005228244.tif 000011
【図１０】
2005228244.tif 000012
【図１１】
2005228244.tif 000013
【図１２】
2005228244.tif 000014
【図１３】
2005228244.tif 000015
【図１４】
2005228244.tif 000016